(57)【特許請求の範囲】
【請求項１】
相対向する第１基板及び第２基板からなる基板と、
前記第１基板と前記第２基板との間の空間を複数個の放電空間に区画するように前記第１基板と前記第２基板との間に形成された隔壁と、
前記第１基板を横切って前記第１基板上に形成された複数対の共通電極及びスキャン電極と、
前記共通電極及び前記スキャン電極と交差し、前記第２基板を横切って前記第２基板上に形成された複数個のアドレス電極と、を含むプラズマ表示装置であって、
前記各アドレス電極は前記隔壁と隔壁との間に位置し、互いに分離して形成された４つの分割電極部と、前記基板の両側縁部から延びた２つの導電性リード部と、を含み、
前記２つの導電性リード部は前記４つの分割電極部のうち前記基板の両側縁部に位置する第１分割電極部と第４分割電極部との間に配置された第２分割電極部と第３分割電極部に接続されている
ことを特徴とするプラズマ表示装置。
【請求項２】
前記第２基板の上面に誘電体層が形成されるとともに、前記誘電体層上に前記隔壁が形成されており、前記分割電極部は前記隔壁と並んだ方向に前記誘電体層内に埋め込まれていることを特徴とする請求項１に記載のプラズマ表示装置。
【請求項３】
前記導電性リード部は前記隔壁と前記第２基板との間に形成されていることを特徴とする請求項２に記載のプラズマ表示装置。
【発明の詳細な説明】
【０００１】
【発明の属する技術分野】
本発明はプラズマ表示装置に係り、より詳細にはアドレス電極の構造が改善されたプラズマ表示装置に関する。
【０００２】
【従来の技術】
プラズマ表示素子は二つの電極間に所定の電圧を印加してグロー放電を起こし、このグロー放電時発生される紫外線により蛍光体層を励起させて画像を形成する。
【０００３】
前記プラズマ表示素子は駆動方法によって直流型または交流型と混合型とに分類される。そしてプラズマ表示素子は電極構造によって放電に必要な最小電極を２つまたは３つ有する。
【０００４】
前記直流型プラズマ表示素子の場合、補助放電を誘導するために補助陽極が追加され、交流型の場合には選択放電と維持放電とを分離してアドレス速度を向上させるためにアドレス電極が導入される。
【０００５】
また、交流型プラズマ表示素子は放電を形成する電極の配置によって対向型電極構造と面放電型電極構造とに分類できるが、前記対向型電極構造の場合には放電を形成する二つの維持電極が各々前面基板と背面基板に位置して放電がパネルの垂直方向に起り、面放電型の電極構造は二つの維持電極が同じ基板上に位置して放電が前記基板に沿って起る。
【０００６】
図３には面放電型プラズマ表示装置の一例が示されている。
【０００７】
図示したように、下部基板11の上面にアドレス電極12が没入されるように誘電体層13が形成され、この誘電体層13の上面には放電空間を区画する所定パターンの隔壁14が形成される。前記隔壁14上には上部基板15が結合されるが、前記上部基板15の下面には所定パターンの共通電極16とスキャン電極17が前記アドレス電極12と直交するように形成され、この共通電極16とスキャン電極17には各電極の抵抗を縮めるためのバス電極(図示せず)が形成できる。
【０００８】
前記上部基板15の下面には前記共通電極16とスキャン電極17が没入されるように誘電体層18が形成され、前記誘電体層18の下面にはＭｇＯよりなる保護層19が塗布される。
【０００９】
また、前記隔壁14間の誘電体層13上面には蛍光体層10が形成され、前記放電空間には所定の放電ガスが注入される。
【００１０】
前述したように構成された従来のプラズマ表示素子の動作において、前記アドレス電極12と共通電極16に電圧が印加されればトリガ放電により壁電荷が充電され、この状態で共通電極16とスキャン電極17との間にグロー放電が起って発光する。従って、このような発光で発生した紫外線により蛍光体層10が励起されて画像を形成する。
【００１１】
ここで、前記プラズマ表示装置では、前記アドレス電極12はスキャン電極17と直交するようにストライプ状で形成されているので、前記電極12をアドレスする時間はスキャン電極17の数に依存する。従って、スキャン電極の数が少なければ少ないほど維持時間を縮めうる。
【００１２】
前記のような点を考慮して維持時間を縮めうるアドレス電極の他の例を図４に示した。
【００１３】
図示したように、隔壁14’間に位置され誘電体層13’により埋込されたアドレス電極12’がプラズマ表示装置の有効画面を成す中央部を中心として二等分されている。
【００１４】
しかし、このようなアドレス電極の場合にも多くのスキャン電極を有する場合充分の輝度を得られないという問題点がある。
【００１５】
【発明が解決しようとする課題】
本発明は前記問題点を解決するために創出されたものであって、アドレス電極を複数個に分割することによって画像の輝度を向上させうるプラズマ表示装置を提供することにその目的がある。
【００１６】
【課題を解決するための手段】
前記の目的を達成するために、本発明は、相対向する第１基板及び第２基板からなる基板と、前記第１基板と前記第２基板との間の空間を複数個の放電空間に区画するように前記第１基板と前記第２基板との間に形成された隔壁と、前記第１基板を横切って前記第１基板上に形成された複数対の共通電極及びスキャン電極と、前記共通電極及び前記スキャン電極と交差し、前記第２基板を横切って前記第２基板上に形成された複数個のアドレス電極と、を含むプラズマ表示装置であって、前記各アドレス電極は前記隔壁と隔壁との間に位置し、互いに分離して形成された４つの分割電極部と、前記基板の両側縁部から延びた２つの導電性リード部と、を含み、前記２つの導電性リード部は前記４つの分割電極部のうち前記基板の両側縁部に位置する第１分割電極部と第４分割電極部との間に配置された第２分割電極部と第３分割電極部に接続されていることを特徴とする。
【００１７】
また、本発明は、前記第２基板の上面に誘電体層が形成されるとともに、前記誘電体層上に前記隔壁が形成されており、前記分割電極部は前記隔壁と並んだ方向に前記誘電体層内に埋め込まれていることを特徴とする。
【００１８】
また、本発明において、前記導電性リード部は前記隔壁と前記第２基板との間に形成されていることを特徴とする。
【００１９】
【発明の実施の形態】
本発明によるプラズマ表示装置の一実施の形態を図１及び図２に示した。
【００２０】
図面を参照すれば、下部基板21の上面に誘電体層22が形成され、この誘電体層22の上面には所定パターンの隔壁23が形成される。前記隔壁23は相互平行にストライプ状で形成される。
【００２１】
前記各隔壁23間には誘電体層22に埋込されるようにアドレス電極30が形成される。本実施の形態の特徴によれば、前記アドレス電極30は隔壁23に対して平行な少なくとも３個の分割電極よりなる。
【００２２】
図１には４個の分割電極よりなるアドレス電極30が示されている。即ち、前記分割電極は第１、２、３、４分割電極31、32、33、34よりなる。下部基板21の両側縁部には第１、４分割電極31、34が位置する。前記１、４分割電極31、34間には第２、３分割電極32、33が位置するが、これらは基板21の縁部から延びる導電性リード部35、36と接続して所定の電圧が印加される。ここで前記導電性リード部35、36は誘電体層22と下部基板21との間または隔壁23と誘電体層22との間に形成されたり、または隔壁23内に埋込されるように形成される場合もある。前記導電性リード部35、36は抵抗の少ない金属で形成することが望ましい。
【００２３】
本実施の形態では前記アドレス電極は４個の分割電極で構成されているが、これに限らずアドレス電極は多数個の分割電極より構成できる。
【００２４】
前記隔壁23上には透明な上部基板25が結合されて隔壁23と共に放電空間を限定する。前記上部基板25の下面には前記アドレス電極30と直交するように共通電極26とスキャン電極27が形成され、この共通電極26とスキャン電極27は上部基板25の下面に形成される誘電体層28に没入される。
【００２５】
また、前記隔壁23により限定される放電空間内には蛍光体層40が塗布される。符号29はＭｇＯよりなる保護膜である。
【００２６】
前述したように構成された本実施形態に係るプラズマ表示装置の駆動はアドレス駆動と維持駆動よりなる。
【００２７】
まず、アドレス駆動のために、発光させようとする画素に当る前記分割電極31、32、33、34と共通電極26に電圧が印加される。それにより予備放電が起って放電空間の内面に壁電荷が充電される。この状態で維持駆動がなされる。即ち、共通電極26とスキャン電極27に所定の電圧を加えてグロー放電が起り、このグロー放電時発生される紫外線により蛍光体40が励起されることによって画像を形成する。
【００２８】
本発明によるプラズマ表示装置の駆動において、アドレス電極30が複数個の分割電極31、32、33、34に分割されているので、各々の分割電極に対応するスキャン電極27の数が相対的に少なくなってアドレッシング放電のためのアドレッシング時間を縮めうる。
【００２９】
本発明者の実験によれば、分割されないアドレス電極を採用する８ビットグレースケールの852×480のプラズマ表示装置を駆動する場合、アドレス駆動時間と維持駆動時間の比率は10:6程度であったが、４分割されたアドレス電極を採用する同じ仕様のプラズマ表示装置を駆動した場合、アドレス駆動時間と維持の駆動時間の比率は3:13程度であることが分かった。従って、輝度は13/6＝2.17倍程度上昇する。
【００３０】
【発明の効果】
以上、説明したように本発明によるプラズマ表示装置ではアドレス電極を少なくとも三つの領域に分割することによって、分割された各アドレス電極を同時に駆動できるので、アドレッシング時間を短縮できる利点を有する。
【００３１】
なお、以上の説明では、本発明を図面に示した一実施の形態を参考して説明したが、これは例示的なことに過ぎなく、本発明の技術的範囲内で当業者により多様な実施の形態に変形可能であることは勿論である。
【図面の簡単な説明】
【図１】本発明に係るプラズマ表示装置の一部分離斜視図。
【図２】図１に示したアドレス電極と隔壁を示す平面図。
【図３】従来のプラズマ表示装置の分離斜視図。
【図４】図３に示したアドレス電極と隔壁を示す平面図。
【符号の説明】
21  下部基板
22  誘電体層
23  隔壁
25  上部基板
26  共通電極
27  スキャン電極
28  誘電体層
29  未説明符号
30  アドレス電極
31、32、33、34  第１、２、３、４分割電極
35、36  導電性リード部
40  蛍光体
【図１】
0004092039.tif 000002
【図２】
0004092039.tif 000003
【図３】
0004092039.tif 000004
【図４】
0004092039.tif 000005